(57)【要約】【課題】  装着された際に第２主点位置が回転軸上にない状態の交換レンズで、傾斜アオリをする際の構図確認の手間を削減するアオリ撮影装置を提供する【解決手段】  ティルトアオリが可能である撮影装置本体１０は、交換レンズ１１が取り付けられるレンズマウント部２１を備える。ティルトアオリにおける交換レンズ１１のレンズ軸ＬＸに垂直なティルト軸ＴＸとレンズマウント部２１とをレンズ軸ＬＸ方向に相対移動させて交換レンズ１１の第２主点がティルト軸ＴＸを通る位置関係にするフロント部移動手段４０とを備える。【選択図】        図１
2006178148.tif 000002
【特許請求の範囲】
【請求項１】
交換レンズがとりつけられるレンズマウント部と、
ティルトアオリ、またはスィングアオリにおける前記交換レンズのレンズ軸に垂直な回転軸と前記レンズマウント部とを前記レンズ軸方向に相対移動させて前記交換レンズの第２主点が前記回転軸を通る位置関係にする移動手段とを備えるティルトアオリ、スィングアオリの少なくとも一方が可能な撮影装置本体。
【請求項２】
前記第２主点の位置に関する情報を検出するレンズ情報読取部と、
前記回転軸の位置に関する情報を検出するティルト軸マウント間距離情報読取部と、
前記第２主点の位置、前記回転軸の位置に基づいて前記第２主点が前記回転軸を通る位置関係にあるか否かを判断する制御手段とをさらに備えたことを特徴とする請求項１に記載の撮影装置本体。
【請求項３】
前記制御手段による判断結果を表示する表示手段をさらに備えたことを特徴とする請求項２に記載の撮影装置本体。
【請求項４】
前記移動手段は、前記制御手段による判断結果に基づいて、前記レンズマウント部を移動させるアクチュエータを有することを特徴とする請求項２に記載の撮影装置本体。
【請求項５】
前記第２主点の位置に関する情報は、前記レンズマウント部と、前記第２主点との第１距離であり、前記回転軸の位置に関する情報は、前記レンズマウント部と、前記回転軸との第２距離であることを特徴とする請求項２に記載の撮影装置本体。
【請求項６】
交換レンズと、
前記交換レンズがとりつけられるレンズマウント部と、ティルトアオリまたはスィングアオリにおける前記交換レンズのレンズ軸に垂直な回転軸と前記レンズマウント部とを前記レンズ軸方向に相対移動させて前記交換レンズの第２主点が前記回転軸を通る位置関係にする移動手段とを有するティルトアオリ、スィングアオリの少なくとも一方が可能な撮影装置本体とを備える撮影装置。
【請求項７】
前記撮影装置本体は、前記第２主点の位置に関する情報を検出するレンズ情報読取部と、前記回転軸の位置に関する情報を検出するティルト軸マウント間距離情報読取部と、前記第２主点の位置、前記回転軸の位置に基づいて前記第２主点が前記回転軸を通る位置関係にあるか否かを判断する制御手段とを有することを特徴とする請求項６に記載の撮影装置。
【請求項８】
前記第２主点の位置に関する情報は、前記レンズマウント部と、前記第２主点との第１距離であり、前記回転軸の位置に関する情報は、前記レンズマウント部と、前記回転軸との第２距離であることを特徴とする請求項７に記載の撮影装置。
【請求項９】
前記交換レンズは、前記第１距離を算出するレンズＣＰＵを有することを特徴とする請求項８に記載の撮影装置。
【請求項１０】
前記交換レンズは、前記第２主点の位置に関する情報を記憶するメモリを有することを特徴とする請求項７に記載の撮影装置。
【発明の詳細な説明】
【技術分野】
【０００１】
本発明は、アオリ撮影装置に関し、特に適正な傾斜アオリの回転軸と交換レンズとの位置関係を調整する装置に関する。
【背景技術】
【０００２】
従来、レンズのレンズ軸が撮像面に対して垂直に交わる状態を崩し、レンズを撮像面に対して傾けるティルトアオリ、スィングアオリが可能なアオリ撮影装置が提案されている。
【発明の開示】
【発明が解決しようとする課題】
【０００３】
しかし、回転軸（ティルト軸、スィング軸）上に交換レンズの第２主点が無い状態で、ティルトアオリ、スィングアオリを行うと、傾斜アオリ前後で構図が変化する。
【０００４】
したがって本発明の目的は、装着された際に第２主点位置が回転軸上にない状態の交換レンズで、傾斜アオリをする際の構図確認の手間を削減するアオリ撮影装置を提供することである。
【課題を解決するための手段】
【０００５】
本発明に係るティルトアオリ、スィングアオリの少なくとも一方が可能な撮影装置本体は、交換レンズがとりつけられるレンズマウント部と、ティルトアオリ、またはスィングアオリにおける交換レンズのレンズ軸に垂直な回転軸とレンズマウント部とをレンズ軸方向に相対移動させて交換レンズの第２主点が回転軸を通る位置関係にする移動手段とを備える。
【０００６】
好ましくは、第２主点の位置に関する情報を検出するレンズ情報読取部と、回転軸の位置に関する情報を検出するティルト軸マウント間距離情報読取部と、第２主点の位置、回転軸の位置に基づいて第２主点が回転軸を通る位置関係にあるか否かを判断する制御手段とをさらに備える。
【０００７】
さらに好ましくは、制御手段による判断結果を表示する表示手段をさらに備える。
【０００８】
また、好ましくは、移動手段は、制御手段による判断結果に基づいて、レンズマウント部を移動させるアクチュエータを有する。
【０００９】
また、好ましくは、第２主点の位置に関する情報は、レンズマウント部と、第２主点との第１距離であり、回転軸の位置に関する情報は、レンズマウント部と、回転軸との第２距離である。
【００１０】
また、本発明に係る撮影装置は、交換レンズを備え、交換レンズがとりつけられるレンズマウント部と、ティルトアオリまたはスィングアオリにおける交換レンズのレンズ軸に垂直な回転軸とレンズマウント部とをレンズ軸方向に相対移動させて交換レンズの第２主点が回転軸を通る位置関係にする移動手段とを有するティルトアオリ、スィングアオリの少なくとも一方が可能な撮影装置本体を備える。
【００１１】
好ましくは、撮影装置本体は、第２主点の位置に関する情報を検出するレンズ情報読取部と、回転軸の位置に関する情報を検出するティルト軸マウント間距離情報読取部と、第２主点の位置、回転軸の位置に基づいて第２主点が前記回転軸を通る位置関係にあるか否かを判断する制御手段とを有する。
【００１２】
さらに好ましくは、第２主点の位置に関する情報は、レンズマウント部と、第２主点との第１距離であり、回転軸の位置に関する情報は、レンズマウント部と、回転軸との第２距離である。
【００１３】
さらに好ましくは、交換レンズは、第１距離を算出するレンズＣＰＵを有する。
【００１４】
また、好ましくは、交換レンズは、第２主点の位置に関する情報を記憶するメモリを有する。
【発明の効果】
【００１５】
以上のように本発明によれば、装着された際に第２主点位置が回転軸上にない状態の交換レンズで、傾斜アオリをする際の構図確認の手間を削減するアオリ撮影装置を提供することができる。
【発明を実施するための最良の形態】
【００１６】
以下、本実施形態について、図を用いて説明する。撮影装置１はアオリ撮影カメラ１０、制御部５０、及び表示部６０を備える（図１参照）。なお、方向を説明するために、撮影装置１において傾斜アオリを行わない状態（交換レンズ１１のレンズ軸ＬＸが撮像素子３１の撮像面に対して垂直に交わるニュートラル状態）でのレンズ軸ＬＸと直交する水平方向を第１方向ｘ、レンズ軸ＬＸと直交する鉛直方向を第２方向ｙ、レンズ軸ＬＸと平行な水平方向を第３方向ｚとして説明する。
【００１７】
アオリ撮影カメラ１０は、ティルトアオリできるカメラである。アオリ撮影カメラ１０は、交換レンズ１１、フロント部２０、リヤ部３０、フロント部移動手段４０、レンズ情報読取部４１、及びティルト軸マウント間距離情報読取部４２を有する。
【００１８】
フロント部２０のレンズマウント部２１には、交換レンズ１１が取り付けられる。撮影目的に合わせて焦点距離が異なり、第２主点Ｈ２の位置が異なる交換レンズ１１が用意される。フロント部２０は、第１方向ｘと平行なティルト軸ＴＸを中心としてティルトアオリが可能である。また、フロント部２０は、レンズ軸ＬＸと平行な方向に移動可能である。従って、フロント部２０は、アオリ撮影カメラ１０がニュートラル状態にある場合は、第３方向ｚに移動可能である。制御部５０が第１、第２距離ｄ１、ｄ２を表示部６０に表示するので、これを見ることにより使用者はフロント部２０をどれだけ移動させればよいか確認できる。
【００１９】
交換レンズ１１は、撮影光学系の光学特性に関するレンズ固有データが格納されたＲＯＭ１１ａ、エンコーダ１１ｂ、第１通信用接点ピン１１ｃ、レンズＣＰＵ１１ｄを有する。
【００２０】
交換レンズ１１がフロント部２０に装着された時には、交換レンズ１１に設けられた第１通信用接点ピン１１ｃ、及びフロント部２０のレンズマウント部２１に設けられた第２通信用接点ピン２１ｃを介してレンズ固有データが検出可能な構成となっている。レンズ固有データは、焦点距離、開放絞り値、最小絞り値、イメージサークルの径、及び第２主点Ｈ２の位置テーブルデータに関する情報である。
【００２１】
エンコーダ１１ｂは、フォーカシングレンズのレンズ軸ＬＸ方向における位置情報を検出する。交換レンズ１１がフロント部２０に装着された時には、第１、第２通信用接点ピン１１ｃ、２１ｃを介して、無限遠の被写体に合焦するときのフォーカシングレンズ位置からのレンズ軸ＬＸ方向の被写体側への繰り出し量に対応する繰り出し量データが検出可能な構成となっている。
【００２２】
レンズＣＰＵ１１ｄは、ＲＯＭ１１ａ内のテーブルデータから、繰り出し量データに対応した第２主点Ｈ２の位置情報を読み出し、交換レンズ１１の第２主点Ｈ２とレンズマウント部２１との距離（第１距離ｄ１）を算出する。
【００２３】
リヤ部３０は、ＣＣＤなどの撮像素子３１、撮像信号処理回路３２を有する。被写体像が交換レンズ１１を介して投影された光学像は、撮像素子３１の撮像領域に結像される。撮像素子３１は、光学像を光電変換によって電気信号に変換する。撮像素子３１で一定時間蓄積された後、読み出しされた電荷に基づく電気信号は、撮像信号処理回路３２に出力される。撮像信号処理回路３２は、アオリ撮影カメラ１０で撮像されて得られた被写体の電気信号を、制御部５０で画像処理及び表示部６０で観察可能な画像信号に変換し、制御部５０に出力する。
【００２４】
レンズ情報読取部４１は、交換レンズ１１からの第１距離ｄ１、及びレンズ固有データを検出し、制御部５０に出力する。
【００２５】
ティルト軸マウント間距離情報読取部４２は、ティルト軸ＴＸの位置に関する情報としてティルト軸ＴＸとレンズマウント部２１との距離（第２距離ｄ２）を検出し、制御部５０に出力する。ティルト軸マウント間距離情報読取部４２は、ティルト軸ＴＸとレンズマウント部２１とが一致している状態を基準とする（ｄ２＝０）。
【００２６】
フロント部移動手段４０は、第１〜第３フロント部移動手段４０１〜４０３で構成され、Ｌ字状のフロント支持体４０ａ、第１、第２レール４０ｂ、４０ｃ、第１〜第３操作ノブ４０ｅ〜４０ｇ、スライダ４０ｓ、アクチュエータ４０ｙ、及び台座４０ｚを有する。フロント支持体４０ａは、第１方向ｘに平行な第１腕部４０ａ１、第２方向ｙに平行な第２腕部４０ａ２から構成される。
【００２７】
第１腕部４０ａ１は第１方向ｘに伸張する長穴を有する。第１操作ノブ４０ｅのネジ軸は、第１腕部４０ａ１の長穴に挿通され、台座４０ｚに螺合される。第１操作ノブ４０ｅの操作によりフロント支持体４０ａと台座４０ｚとの固定が解除されると、フロント部２０は第１方向ｘへの移動が可能になり、所望位置に第１操作ノブ４０ｅを締めると、フロント部２０は、台座４０ｚと固定状態にされる。第１腕部４０ａ１、第１操作ノブ４０ｅ、及び台座４０ｚは、フロント部２０及び交換レンズ１１を第１方向ｘに移動可能にする第１フロント部移動手段４０１を構成する。
【００２８】
第２腕部４０ａ２は第２方向ｙに伸張する長穴を有する。第２腕部４０ａ２は第２レール４０ｃが取り付けられる。スライダ４０ｓは、フロント部２０と固定される。第２レール４０ｃは、スライダ４０ｓをレンズ軸ＬＸ方向に摺動自在に保持し、第２腕部４０ａ２に第２操作ノブ４０ｆを介して取り付けられる。例えば、傾斜アオリを行わない状態では、第２レール４０ｃは、スライダ４０ｓを第３方向ｚに摺動自在に保持する。第２操作ノブ４０ｆのネジ軸は、第２腕部４０ａ２の長穴に挿通され、第２レール４０ｃに螺合される。
【００２９】
スライダ４０ｓの上面には、アクチュエータ４０ｙが取り付けられる。アクチュエータ４０ｙは、レンズ軸ＬＸ方向に摺動自在に保持された第２レール４０ｃとスライダ４０ｓの相対位置を変化させる。アクチュエータ４０ｙは、例えばリードスクリューとこれを回転するステッピングモータから構成され、リードスクリューは、スライダ４０ｓ上面に形成された長穴（不図示）を介して、第２レール４０ｃのテーパー部に形成されているラック（不図示）と噛合する。ステッピングモータの回転によりレンズ軸ＬＸ方向へのフロント部２０の移動が行われ、これにより第２主点Ｈ２とティルト軸ＴＸの位置関係が調整される。
【００３０】
第２操作ノブ４０ｆを締め付けることにより、フロント部２０とフロント支持体４０ａとが固定状態にされる。第２操作ノブ４０ｆの締め付けを解除することにより、フロント部２０とフロント支持体４０ａとの固定状態が解除され、フロント部２０は、ティルト軸ＴＸ周りに回動可能で且つ第２レール４０ｃの延出方向（レンズ軸ＬＸ方向）に移動可能で且つ第２腕部４０ａ２の長穴方向（第２方向ｙ）に移動可能な状態にされる。所望位置にて、第２操作ノブ４０ｆを締め付けることにより、フロント部２０とフロント支持体４０ａは固定状態にされる。第２腕部４０ａ２、第２レール４０ｃ、第２操作ノブ４０ｆ、スライダ４０ｓ、及びアクチュエータ４０ｙは、ティルト軸ＴＸ周りの回転、フロント部２０及び交換レンズ１１をレンズ軸ＬＸ、及び第２方向ｙに移動可能にする第２フロント部移動手段４０２を構成する。
【００３１】
台座４０ｚは、第３方向ｚに平行な第１レール４０ｂ上に裁置される。第３操作ノブ４０ｇを回転させることにより、第１レール４０ｂを除くフロント部移動手段４０、フロント部２０、及び交換レンズ１１は、第１レール４０ｂに沿って移動可能にされる。第３操作ノブ４０ｇは、合焦動作時に使用される。
【００３２】
第１レール４０ｂ、第３操作ノブ４０ｇ、及び台座４０ｚは、フロント部２０などを第３方向ｚに移動させる第３フロント部移動手段４０３を構成する。
【００３３】
第２フロント部移動手段４０２は、使用者の手動操作によりフロント部２０及び交換レンズ１１を、ティルト軸ＴＸ周りに回転させ、且つティルト状態を保持したまま、第２方向ｙに移動可能にする。また、第２フロント部移動手段４０２は、アクチュエータ４０ｙの駆動によりフロント部２０及び交換レンズ１１を、ティルト状態を保持したまま、レンズ軸ＬＸ方向に移動可能にする。
【００３４】
制御部５０は、撮像に関する各部の制御を行う制御手段である。制御部５０は、第１、第２距離ｄ１、ｄ２の値が一致したか否かを判断し、これらの値を表示部６０に表示する。
【００３５】
撮影装置１は、制御部５０から出力された画像信号を記録する外部記憶装置（不図示）を備えても良い。
【００３６】
表示部６０は、画像信号に対応する画像を表示する。表示部６０は、第１、第２距離ｄ１、ｄ２、及びこれらが一致したか否かを表示する。表示部６０は、画像表示の他、第１、第２距離ｄ１、ｄ２の値、第１距離ｄ１と第２距離ｄ２の差異Ｄ３、及び第１距離ｄ１と第２距離ｄ２の値が一致したか否か（図１の例では、“×”と表示して一致していないことを示す）を表示する。
【００３７】
第２主点Ｈ２とティルト軸ＴＸとの位置関係の調整手順を説明する。この調整は、傾斜アオリを行う前に行われ、交換レンズ１１の第２主点Ｈ２の位置とティルト軸ＴＸのレンズ軸ＬＸ方向の位置とを一致させる。撮影装置１の電源をオン状態にし、撮像素子３１で撮像することにより得られた画像を表示部６０に表示する（スルー画像表示）。このとき、アオリ撮影カメラ１０は、レンズ軸ＬＸが撮像面に対して垂直に交わるニュートラルな状態である。レンズ情報読取部４１、及び制御部５０で、第１距離ｄ１の値を検出する。ティルト軸マウント間距離情報読取部４２、及び制御部５０で、第２距離ｄ２の値を検出する。制御部５０で、第１距離ｄ１と第２距離ｄ２の差異Ｄ３を演算する。第１、第２距離ｄ１、ｄ２、差異Ｄ３、及び第１距離ｄ１と第２距離ｄ２の値が一致したか否かを、表示部６０のスルー画像の上に重ねて表示する。
【００３８】
制御部５０は、第１、第２距離ｄ１、ｄ２の差異Ｄ３の値が０になるように、アクチュエータ４０ｙを駆動してフロント部２０をレンズ軸ＬＸ方向に移動させる。フロント部２０を移動させることにより変化する第２距離ｄ２、及び第１、第２距離ｄ１、ｄ２の差異Ｄ３の値は、表示部６０で表示される。操作完了後、合焦動作およびティルトアオリなどのアオリ操作により、構図を決定する。これにより、交換レンズ１１の第２主点Ｈ２の位置がティルト軸ＴＸからずれた位置にある場合であっても、第２主点Ｈ２がティルト軸ＴＸを通るように調整しておけば、その後に傾斜アオリ操作を行っても構図が大きく狂うことはないので、構図の合わせ直し作業が不要になる。
【００３９】
フロント部２０の移動手順を図５のフローチャートで説明する。フロント部２０の移動の前に、あらかじめユーザーが交換レンズ１１のフォーカス調整環（不図示）を操作して、交換レンズ１１内のフォーカシングレンズを無限遠合焦位置（繰り出し量が最も少ない位置）に移動させておくのが望ましい。但し、フォーカシングレンズを移動させる位置は、無限遠合焦位置でなく他の位置であってもよい。
【００４０】
ステップＳ１１で、フロント部２０の位置調整が開始されると、ステップＳ１２で、レンズ情報読取部４１、制御部５０により、第１距離ｄ１の値が検出される。ステップＳ１３で、ティルト軸マウント間距離情報読取部４２により、第２距離ｄ２の値が検出される。ステップＳ１４で、第１距離ｄ１と第２距離ｄ２の差異Ｄ３の値が、制御部５０により演算される。ステップＳ１５で、表示部６０に第１距離ｄ１、第２距離ｄ２、差異Ｄ３の値、及び第１距離ｄ１と第２距離ｄ２の値が一致したか否かが表示される。ステップＳ１６で、差異Ｄ３の値がゼロか否かが判断される。ゼロでない場合は、ステップＳ１７でフロント部２０が、差異Ｄ３の値がゼロになるようにレンズ軸ＬＸ方向に移動せしめられて、フロント部２０の位置調整サブルーチンが終了される。ゼロである場合は、ステップＳ１８で、フロント部２０の位置調整サブルーチンが終了される。フロント部２０の移動後、第３操作ノブ４０ｇを操作して交換レンズ１１を含むフロント部２０を第３方向ｚに移動させることにより合焦動作が行われる。
【００４１】
なお、本実施形態では、ティルト軸ＴＸを固定させた状態で、レンズマウント部２１を含むフロント部２０をレンズ軸ＬＸ方向に移動させることによって、交換レンズ１１の第２主点Ｈ２がティルト軸ＴＸを通る位置関係にする形態を説明したが、レンズマウント部２１を含むフロント部２０を固定させた状態で、ティルト軸ＴＸを移動させてもよいし、フロント部２０とティルト軸ＴＸ双方を移動させてもよい。
【００４２】
また、傾斜アオリのうち、ティルトアオリについて説明したが、スィングアオリについて使用しても同様に本実施形態の効果が得られる。
【００４３】
また、本実施形態では、撮影装置は、撮像素子に限られず、銀塩フィルムを使った形態でもよい。この場合、制御部、表示部を備えず、第１、第２距離ｄ１、ｄ２の値を表示する手段をフロント部２０などが有していてもよい。
【図面の簡単な説明】
【００４４】
【図１】本実施形態におけるアオリ撮影カメラの斜視図、制御部、表示部の構成図である。
【図２】アオリ撮影カメラを第１方向から見た図である。
【図３】アオリ撮影カメラを第３方向から見た図である。
【図４】本実施形態のける撮影装置の各部の構成図である。
【図５】ティルト軸を移動させる手順を示すフローチャートである。
【符号の説明】
【００４５】
１  撮影装置
１０  アオリ撮影カメラ
１１  交換レンズ
１１ａ  ＲＯＭ
１１ｂ  エンコーダ
１１ｃ  第１通信用接点ピン
２０  フロント部
２１  レンズマウント部
２１ｃ  第２通信用接点ピン
３０  リヤ部
３１  撮像素子
３２  撮像信号処理回路
４０  フロント部移動手段
４０ａ  フロント支持体
４０ａ１、４０ａ２  第１、第２腕部
４０ｂ、４０ｃ  第１、第２レール
４０ｅ〜４０ｇ  第１〜第３操作ノブ
４０ｓ  スライダ
４０ｙ  アクチュエータ
４０ｚ  台座
４１  レンズ情報読取部
４２  ティルト軸マウント間距離情報読取部
５０  制御部
６０  表示部
４０１〜４０３  第１〜第３フロント部移動手段
ｄ１、ｄ２  第１、第２距離
Ｄ３  第１、第２距離の差異
Ｈ２  交換レンズの第２主点
ＬＸ  レンズ軸
ＴＸ  ティルト軸
【図１】
2006178148.tif 000003
【図２】
2006178148.tif 000004
【図３】
2006178148.tif 000005
【図４】
2006178148.tif 000006
【図５】
2006178148.tif 000007